(57)【要約】      （修正有）【課題】折り畳み及び包装を容易にし、製造工程が簡素で、高効率かつ低コストの収納装置を提供する。【解決手段】収納装置は、第１の生地１０及び第２の生地２０を備える。第１の生地１０は、溶接部１０１を有し、第２の生地２０は、第１の生地１０と同じ材料で製作され、第１の生地１０の溶接部１０１に対応した溶接部２０１を有する。第１の生地１０の溶接部１０１と第２の生地２０の溶接部２０１とは、超音波溶接方式により溶着され、第１の生地１０と第２の生地２０との間に収納空間が形成される。【選択図】図２
0003175060.tif 000002
【実用新案登録請求の範囲】
【請求項１】
少なくとも１つの第１の生地及び少なくとも１つの第２の生地を備えた収納装置であって、
前記第１の生地は、切断して所定の形状及びサイズに形成し、少なくとも１つの溶接部を有し、
前記第２の生地は、前記第１の生地と同一性を有する材料で製作するとともに切断して所定の形状及びサイズに形成し、前記第１の生地の前記溶接部に対応した溶接部を少なくとも１つ有し、
前記第１の生地の前記溶接部と前記第２の生地の前記溶接部とは、超音波溶接方式により溶着され、前記第１の生地と前記第２の生地との間に少なくとも１つの収納空間が形成され、
前記溶接部は、前記第１の生地の周縁と、前記第２の生地の周縁と、前記第１の生地と前記第２の生地との間で超音波溶接を行う箇所と、にそれぞれ設けられることを特徴とする収納装置。
【請求項２】
前記第１の生地の前記溶接部は、前記第１の生地の折り曲げ部に設けられることを特徴とする請求項１に記載の収納装置。
【請求項３】
前記第２の生地の前記溶接部は、前記第２の生地の折り曲げ部に設けられることを特徴とする請求項１に記載の収納装置。
【請求項４】
前記溶接部は、超音波溶接方式により平坦状に形成されることを特徴とする請求項１乃至３の何れかに記載の収納装置。
【請求項５】
前記溶接部の表面には、超音波溶接方式により凹凸状の超音波溶接のプレスラインが形成されることを特徴とする請求項１乃至３の何れかに記載の収納装置。
【請求項６】
前記溶接部上には、パターンが設けられることを特徴とする請求項１乃至３の何れかに記載の収納装置。
【請求項７】
前記パターンは中空状であることを特徴とする請求項６に記載の収納装置。
【請求項８】
前記第１の生地は、少なくとも１つの支持片を覆うことを特徴とする請求項１に記載の収納装置。
【請求項９】
前記第２の生地は、少なくとも１つの支持片を覆うことを特徴とする請求項１に記載の収納装置。
【請求項１０】
前記収納装置が、衣服カバー、複数段の吊り下げ袋、複数段の衣類収納棚、収納箱、衣類収納棚、ベッド下収納ラック、吊棚又は複数段の靴棚であることを特徴とする請求項１に記載の収納装置。
【考案の詳細な説明】
【技術分野】
【０００１】
本考案は、収納装置に関するものであり、さらに詳しくは、複数枚の布地を組み合わせて構成した収納装置に関するものである。
【背景技術】
【０００２】
収納箱、衣服カバー、衣類収納棚、吊棚などの収納装置は、日常生活でよく用いられている。従来の収納装置は、収納物の出し入れのために用いる開口が使用容易な箇所に適宜、設けられ、外蓋、スライドファスナーなどの可動部材が開口部に設けられている。また、収納装置の上端に設けた開口にフックを吊下げて使用する場合には、吊下げバーにより吊下げるために面ファスナを設けることもある。
【０００３】
従来の収納装置は、十分な強度と、可撓性を有する繊維布又はプラスチック製クロスシートとからなるものであり、数個の面材を利用し、ステッチ方式により対応した面材間を縫製して互いに接続させ、縫製箇所に縁かがり縫いの作業を行うことにより作製されている。例えば、吊棚は、加工が容易になるように、軟質の布材を縫製して２つの側壁と、２つの側壁後方に接続した後壁と、２つの側壁間に、離間して上下水平に配列された数個の隔板とを含み、縫製した箇所に縁かがり縫いをし、画成した数個の収納空間を利用し、収納物を分類して収納するものである。吊棚が軟質布材からなるため、吊棚を使用しない場合には、折り畳んで体積を小さくし、利便性よく収納できるようにするが、縁かがり縫いの構造は、折り畳んだ後の平坦性に悪影響を与えて美観を損なう上、折り畳んで小さくする際作業がスムーズに進まないというおそれもある。さらに、一般に縁かがり縫いの外観構成が固定されているため、加工を施して意匠感を向上させることができず、吊棚全体の見た目が好ましくないという問題がある。
【考案の概要】
【考案が解決しようとする課題】
【０００４】
従って、本考案の課題は、従来技術のように溶接箇所に縁かがり縫いを行わずに、意匠感を向上させると共に、折り畳み及び包装が容易であって、製造工程が簡素で、高効率かつ低コストの収納装置を提供することにある。
【課題を解決するための手段】
【０００５】
そこで、本考案者は、前記の本考案の課題を解決するため、鋭意検討を重ねた結果、縁かがり縫いを行なわずに、少なくとも１つの第１の生地と少なくとも１つの第２の生地とを超音波溶接により溶着させることにより、前記課題を解決できる点に着目し、かかる知見に基いて本考案を完成した。
【０００６】
すなわち、本考案は、溶接箇所に縁かがり縫いを行なわずに、少なくとも１つの第１の生地と、少なくとも１つの第２の生地を超音波溶接により溶着させ、平坦性を良好にして意匠感及び見た目を向上させると共に、折り畳み及び包装を容易にし、製造工程が簡素で高効率かつ低コストの収納装置を提供することを目的とするものである。
【０００７】
かくして、本考案によれば、少なくとも１つの第１の生地及び少なくとも１つの第２の生地を備えた収納装置であって、
前記第１の生地は、切断して所定の形状及びサイズに形成し、少なくとも１つの溶接部を有し、
前記第２の生地は、前記第１の生地と同一性を有する材料で製作するとともに切断して所定の形状及びサイズに形成し、
前記第１の生地の前記溶接部に対応した溶接部を少なくとも１つ有し、前記第１の生地の前記溶接部と前記第２の生地の前記溶接部とは、超音波溶接方式により溶着され、前記第１の生地と前記第２の生地との間に少なくとも１つの収納空間が形成され、
前記溶接部は、前記第１の生地の周縁と、前記第２の生地の周縁と、前記第１の生地と前記第２の生地との間で超音波溶接を行う箇所と、にそれぞれ設けられることを特徴とする収納装置
が提供される。
【０００８】
前記第１の生地の前記溶接部は、前記第１の生地の折り曲げ部に設けられることが好ましい。
【０００９】
前記第２の生地の前記溶接部は、前記第２の生地の折り曲げ部に設けられることが好ましい。
【００１０】
前記溶接部は、超音波溶接方式により平坦状に形成されることが好ましい。
【００１１】
前記溶接部の表面には、超音波溶接方式により凹凸状の超音波溶接のプレスラインが形成されることが好ましい。
【００１２】
前記溶接部上には、パターンが設けられることが好ましい。
【００１３】
前記パターンは中空状であることが好ましい。
【００１４】
前記第１の生地は、少なくとも１つの支持片を覆うことが好ましい。
【００１５】
前記第２の生地は、少なくとも１つの支持片を覆うことが好ましい。
【００１６】
前記収納装置は、衣服カバー、複数段の吊り下げ袋、複数段の衣類収納棚、収納箱、衣類収納棚、ベッド下収納ラック、吊棚又は複数段の靴棚であることが好ましい。
【考案の効果】
【００１７】
本考案の収納装置は、以下（１）〜（３）の効果を有する。
（１）縁かがり縫いを行う必要がないため、構造を簡素にすることができる。その結果、生産効率が高まり生産コストを下げることができる。
（２）本考案は、ステッチ方式で縫製する従来の構造と異なり、超音波溶接により製作するため、ミシン目及び糸端が存在しない。その結果、見た目及び装飾性に優れる上、平坦に形成することができるため、折り畳んだり包装したりするのに便利である。
（３）支持性、定型性を溶接部により向上させることができるため、収納装置が柔らかくなりすぎたり展開した場合に変形することがなくなり、収納装置の寿命を延ばすことができる。
【図面の簡単な説明】
【００１８】
【図１】本考案の第１実施形態による収納装置を示す斜視図である。
【図２】本考案の第２実施形態による収納装置を示す斜視図である。
【図２Ａ】図２の収納装置を展開した状態を示す横断面図である。
【図３】本考案の第３実施形態による収納装置を示す斜視図である。
【図３Ａ】図３により示す収納装置の部分拡大図である。
【図４】本考案の第４実施形態による収納装置を示す斜視図である。
【図５】本考案の第５実施形態による収納装置を示す斜視図である。
【図６】本考案の一実施形態による収納装置の溶接部上に設けられたパターンを示す模式図である。
【図６Ａ】本考案の一実施形態による収納装置の溶接部のプレスラインを示す斜視図である。
【考案を実施するための最良の形態】
【００１９】
以下、本考案の実施形態について図面に基づいて説明する。なお、これによって本考案が限定されるものではない。なお、本考案に係る収納装置は、衣服カバー、吊下げ袋、衣類収納棚、収納箱、吊り棚、及び靴棚等の物品の収納可能な空間を有する容器体を総称したものである。
【００２０】
図１〜図５を参照する。図１〜図５に示すように、本考案の一実施形態による収納装置は、少なくとも１つの第１の生地１０及び少なくとも１つの第２の生地２０から構成される。第１の生地１０及び第２の生地２０は、互いに同一性を有する材料（例えば、化学合成繊維生地、化学繊維含有混紡布、化学フィルム、超音波溶接に適した材料など。なお、同一性を有する材料とは、同一の材料又は同一でなくても、同一とみなされる性質及び効果を奏する材料も包含する。）からなってもよい。少なくとも１つの第１の生地１０には、超音波溶接を行うために用いる溶接部１０１が少なくとも１つ設けられている。第２の生地２０には、第１の生地１０の少なくとも１つの溶接部１０１に対応し、超音波溶接を行うための溶接部２０１が少なくとも１つ設けられるとともに、超音波溶接方式により第１の生地１０の溶接部１０１と第２の生地２０の溶接部２０１とを溶着させ、溶接部１０１，２０１の見た目を平坦にし、第１の生地１０と第２の生地２０との間に、少なくとも１つの収納空間４０が形成されている。
【００２１】
本考案に係る収納装置の作製に用いられる超音波溶接は、超音波エネルギーを動力時に使用する材料の加工法であり、材料を溶着させるために用いられる。
本実施形態の収納装置は、同一性を有する材料からなる少なくとも１つの第１の生地１０及び少なくとも１つの第２の生地２０の溶接部１０１，２０１、周縁１１，２１及び折り曲げ部１２，２２を超音波溶接方式で溶着するステップを含み、第１の生地１０と第２の生地２０との間に収納空間４０を形成して収納装置を完成させる。収納装置の製造方法は、以下のステップ（１）〜（３）を含む。
【００２２】
ステップ（１）：まず、少なくとも１つの第１の生地１０を準備し、この第１の生地１０を切断して所定の形状及びサイズに形成し、その上に少なくとも１つの溶接部を設けて超音波溶接を行う。
【００２３】
ステップ（２）：まず、第１の生地１０と同じ材料からなる少なくとも１つの第２の生地２０を準備し、第２の生地２０を切断して所定の形状及びサイズに形成し、第１の生地１０の少なくとも１つの溶接部に対応した少なくとも１つの溶接部を設けて超音波溶接を行う。
【００２４】
ステップ（３）：超音波溶接方式により第１の生地１０の溶接部と第２の生地２０の溶接部とを溶着させ、少なくとも１つの第１の生地１０と少なくとも１つの第２の生地２０との間に少なくとも１つの収納空間４０を形成して収納装置を完成させる。
【００２５】
第１の生地１０の溶接部１０１は、第１の生地１０の周縁１１及び折り曲げ部１２に設けてもよい。第２の生地２０の溶接部２０１は、第２の生地２０の周縁２１及び折り曲げ部２２に設けてもよい。上述の溶接部１０１及び溶接部２０１のそれぞれは、第１の生地１０と第２の生地２０との間の超音波溶接を行う所定の箇所へ設ける。
【００２６】
上述の収納装置は、必要に応じてその形状を様々な態様にしてもよい。つまり、少なくとも１つの第１の生地１０及び少なくとも１つの第２の生地２０を予め切断して所定の形状に形成する。折り曲げて所定の形状に形成した後、少なくとも１つの第１の生地１０が対応した所定の箇所へ、少なくとも１つの第２の生地２０を設置した後、超音波溶接方式により少なくとも１つの第１の生地１０と少なくとも１つの第２の生地２０とを溶着させて一体化させ、所定形式の収納装置を製作する。
【００２７】
少なくとも１つの第１の生地１０及び少なくとも１つの第２の生地２０により、少なくとも１つの支持片２３を覆い（図３Ａ参照）、好適な支持力を得て、物を置いたときに変形することを防ぐことにより、収納装置の寿命を延ばすことができる。
【００２８】
本考案の収納装置は、衣服カバー、複数段の吊り下げ袋、複数段の衣類収納棚、収納箱、衣類収納棚、ベッド下収納ラック、吊棚、複数段の靴棚でもよい。
【００２９】
（第１実施形態）
図１を参照する。図１に示すように、本考案の第１実施形態による収納装置は、例えば、衣服カバーに応用する場合、第２の生地２０を第１の生地１０上に重ねて第１の生地１０の周縁１１と第２の生地２０の周縁２１との位置を合わせ、周縁１１，２１（溶接部１０１，２０１）に対して超音波溶接を行い、第１の生地１０と第２の生地２０とを溶着させ、第１の生地１０と第２の生地２０との間に収納空間４０を形成させるとともに、第２の生地２０の中間箇所に、収納空間４０を開閉するために用いるスライドファスナー５０を設ける。
【００３０】
（第２実施形態）
図２及び図２Ａを参照する。図２及び図２Ａに示すように、本考案の第２実施形態による収納装置は、例えば、複数段の吊り下げ袋に応用する場合、まず、適宜な形状及びサイズの第１の生地１０を準備し、数個の第２の生地２０を上方向から下方向へかけて第１の生地１０の側面部１３上方へ間隔をあけて重ね、第１の生地１０及び第２の生地２０の周縁１１，２１の左右の位置を合わせ、第１の生地１０及び第２の生地２０の周縁１１，２１（溶接部１０１，２０１）へ超音波溶接を行い、第２の生地２０の左右縁部及び下縁部を第１の生地１０の側面部１３上へ溶着させ、第２の生地２０の正面の適宜な箇所へ間隔をあけて超音波溶接で溶着し、第１の生地１０と第２の生地２０との間に数個の収納空間４０を設ける。図２を参照する。図２に示すように、収納空間４０の数は２４個であるが、必ずしもこの数だけに限定されるわけではない。図２Ａを参照する。図２Ａに示すように、第１の生地１０の周縁１１を予め折り曲げて折り曲げ部１２を形成し、第２の生地２０の周縁２１に折り曲げ部１２を挟んで超音波溶接を行う。さらに、第２の生地２０上に左右対称の折り曲げ部２２を数個設け、溶接部２０１を形成して超音波溶接を行い、収納空間４０の構造強度を高めることにより、収納空間４０を開いて使用するときに曲がって変形することを防ぎ、閉じて収納したときに平坦にすることができる。
【００３１】
（第３実施形態）
図３及び図３Ａを参照する。図３及び図３Ａに示すように、本考案の第３実施形態による収納装置は、例えば、複数段の衣類収納棚に応用する場合、１つの第１の生地１０を予めコ字状に製作しておく。第１の生地１０は、上端、下端、前端が開放状の見た目もよく、内部に矩形空間１６が形成され、第１の生地１０に形成された矩形空間１６により、数個の矩形状の第２の生地２０が上端から下端にかけて配置され、第２の生地２０の周縁２１の左側、右側及び後側と、それぞれ対応した第１の生地１０の内側面１４とを超音波溶接により溶着し、第１の生地１０及び第２の生地２０の溶接部１０１，２０１を超音波溶接により溶着し、第１の生地１０と第２の生地２０とにより適宜な数の収納空間４０を画成する。図３に示すように、収納空間４０の数は６つであるが、必ずしもこの態様だけに限定されるわけではない。
【００３２】
複数段の衣類収納棚は、強度を高めるために、少なくとも１つの支持片２３が第２の生地２０により覆われているため、物を置いたときに変形することを防ぐことができる。
【００３３】
（第４実施形態）
図４を参照する。図４に示すように、本考案の第４実施形態による収納装置は、例えば、衣類収納棚に応用する場合、数個の第１の生地１０を予め矩形空間を形成するように製作して開口部１５を設ける。第２の生地２０を開口部１５に対応させ、開口部１５の縁部（周縁１１）及び第２の生地２０の周縁２１に超音波溶接を行い、第１の生地１０及び第２の生地２０の溶接部１０１，２０１を溶着させ、第１の生地１０と第２の生地２０との間に収納空間４０を形成し、第２の生地２０の中間箇所に、収納空間４０を開け閉めするために用いるスライドファスナー５０を設ける。
【００３４】
（第５実施形態）
図５を参照する。図５に示すように、本考案の第５実施形態による収納装置は、例えば、収納箱に応用する。本考案の収納箱は、矩形状であるがこの態様だけに限定されるわけではなく円形状でもよい。第５実施形態の収納箱６０は、底面を第１の生地１０で構成し、収納箱の側面を第２の生地２０により構成してもよい。第１の生地１０の周縁１１と第２の生地２０の下縁部の周縁２１とを超音波溶接により溶着させ、第１の生地１０及び第２の生地２０の溶接部１０１，２０１を溶着させ、第１の生地１０と第２の生地２０との間に収納空間４０を形成する。この収納空間４０は、上向きの開口部６１を有するとともに、収納箱６０上の開口部６１に、収納空間４０の開閉に用いる上蓋７０を配置する。収納箱６０の外側面には、超音波溶接方式によりハンドル８０が溶着されている。
【００３５】
図６を参照する。図６に示すように、本考案の一実施形態による収納装置は、溶接部１０１，２０１に縁加工（例えば、縫合加工、切断加工、スリッター加工、押し出し加工、着色加工、スタンプ加工、プリーツ加工、補強加工など）を行う。例えば、超音波縁加工装置を利用し、溶接部１０１，２０１に対して押出し加工を行い、溶接部１０１，２０１の表面上にパターン３１、模様又は線を形成し、装飾により見た目を良くすることができる。さらに、溶接部１０１，２０１上に中空状のパターン３１を形成して意匠感及び見た目を向上させる。
【００３６】
図６Ａを参照する。図６Ａに示すように、溶接部１０１，２０１の表面には、超音波溶接方式により凹凸状の超音波溶接のプレスライン３２を形成して意匠感及び見た目を向上させることができる。
【００３７】
上述したことから分かるように、本考案の収納装置は、従来技術と異なり以下（１）〜（３）の長所を有する。
（１）縁かがり縫いを行う必要がないため、その構造を簡素にすることができる。その結果、生産効率を高めて生産コストを下げることができる。
（２）本考案は、ステッチ方式で縫製する従来の構造と異なり、超音波溶接により作製するため、ミシン目及びその糸端が存在しない。その結果、見た目及び装飾性に優れる上、平坦であるため折り畳んだり包装したりするのに便利である。
（３）支持性、定型性を溶接部により高めることができるため、収納装置は柔らかすぎたり展開したときに変形するようなことがなくなり、収納装置の寿命を延ばすことができる。
【００３８】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３９】
１０  第１の生地
１１  周縁
１２  折り曲げ部
１３  側面部
１４  内側面
１５  開口部
１６  矩形空間
２０  第２の生地
２１  周縁
２２  折り曲げ部
２３  支持片
３１  パターン
３２  プレスライン
４０  収納空間
５０  スライドファスナー
６０  収納箱
６１  開口部
７０  上蓋
８０  ハンドル
１０１  溶接部
２０１  溶接部
【図１】
0003175060.tif 000003
【図２】
0003175060.tif 000004
【図２Ａ】
0003175060.tif 000005
【図３】
0003175060.tif 000006
【図３Ａ】
0003175060.tif 000007
【図４】
0003175060.tif 000008
【図５】
0003175060.tif 000009
【図６】
0003175060.tif 000010
【図６Ａ】
0003175060.tif 000011